(57)【要約】【課題】機器の監視または制御等の目的に応じた制御関連情報がどれぐらい存在するかという情報を、管理者等が一見して把握可能な形態で提供することができる表示制御装置を提供する。【解決手段】制御関連情報を取得する情報取得部１１と、複数の制御関連情報の分類のうち、属する制御関連情報の件数を表示させる対象とする１つ以上の件数表示分類、を受け付ける件数表示分類受付部１３２と、情報取得部１１が取得した制御関連情報に基づき、件数表示分類受付部１３２が受け付けた１つ以上の件数表示分類毎に、当該件数表示分類に属する制御関連情報の件数をカウントするカウント部１４と、件数表示分類毎にカウント部１４がカウントした制御関連情報の件数を、当該件数表示分類に関する情報と対応付けて表示した件数一覧画面、を表示させる件数一覧表示制御部１２３を備えた。【選択図】図２
2020144638.tif 000002
【特許請求の範囲】
【請求項１】
施設内に設置された１つ以上の機器と、当該１つ以上の機器を監視または制御する１つ以上のコントローラを備える施設監視システムにおいて、当該１つ以上のコントローラが当該１つ以上の機器を監視または制御するための制御関連情報を表示する表示制御装置であって、
前記制御関連情報を取得する情報取得部と、
前記１つ以上のコントローラが当該コントローラ内を制御する際の目的、または、前記１つ以上のコントローラが前記１つ以上の機器を監視または制御する際の目的、に応じて分類分けされた複数の前記制御関連情報の分類のうち、属する前記制御関連情報の件数を表示させる対象とする１つ以上の件数表示分類、を受け付ける件数表示分類受付部と、
前記情報取得部が取得した前記制御関連情報に基づき、前記件数表示分類受付部が受け付けた１つ以上の前記件数表示分類毎に、当該件数表示分類に属する前記制御関連情報の件数をカウントするカウント部と、
前記件数表示分類毎に前記カウント部がカウントした前記制御関連情報の件数を、当該件数表示分類に関する情報と対応付けて表示した件数一覧画面、を表示させる件数一覧表示制御部
を備えた表示制御装置。
【請求項２】
前記情報取得部が取得した前記制御関連情報に基づき、複数の前記分類毎に前記制御関連情報を表示した制御関連情報表示画面を表示させる制御関連情報表示制御部を備えた
ことを特徴とする請求項１記載の表示制御装置。
【請求項３】
複数の前記分類のうち、前記制御関連情報表示画面を表示させる対象とする、１つ以上の詳細表示分類を受け付ける詳細表示分類受付部を備え、
前記制御関連情報表示制御部は、前記情報取得部が取得した前記制御関連情報に基づき、前記詳細表示分類受付部が受け付けた１つ以上の前記詳細表示分類に対応する前記制御関連情報表示画面を表示させ、
前記件数表示分類受付部は、前記制御関連情報表示制御部が前記制御関連情報表示画面を表示させた１つ以上の前記詳細表示分類のうちから選択された、１つ以上の前記件数表示分類を受け付ける
ことを特徴とする請求項２記載の表示制御装置。
【請求項４】
前記件数一覧表示制御部は、
前記件数一覧画面において、前記カウント部がカウントした前記制御関連情報の件数とともに、前記件数表示分類に対応する前記制御関連情報表示画面の表示状態を示す情報、または、前記件数表示分類に対応する前記制御関連情報表示画面と関連する、他の制御関連情報表示画面を示す情報を、前記件数表示分類に関する情報と対応付けて表示させる
ことを特徴とする請求項２または請求項３記載の表示制御装置。
【請求項５】
前記件数一覧画面において、前記件数表示分類に対応する前記制御関連情報表示画面の表示状態を示す情報、または、前記他の制御関連情報表示画面を示す情報を表示させるか否かを指定する対応表示指示を受け付ける対応表示指示受付部を備え、
前記件数一覧表示制御部は、
前記対応表示指示受付部が受け付けた前記対応表示指示に基づき、前記件数一覧画面において、前記件数表示分類に対応する前記制御関連情報表示画面の表示状態を示す情報、または、前記他の制御関連情報表示画面を示す情報を表示させるか否かを制御する
ことを特徴とする請求項４記載の表示制御装置。
【請求項６】
前記件数一覧表示制御部が表示させた前記件数一覧画面で表示されている前記件数表示分類、に対応する前記制御関連情報表示画面、を表示させる情報表示指示を受け付ける情報表示指示受付部を備え、
前記制御関連情報表示制御部は、前記情報表示指示受付部が前記情報表示指示を受け付けた場合に、当該情報表示指示に基づき、前記件数表示分類に対応する前記制御関連情報表示画面を表示させる
ことを特徴とする請求項２から請求項５のうちのいずれか１項記載の表示制御装置。
【請求項７】
前記カウント部は、
１つ以上のコントローラ単位で、１つ以上の前記件数表示分類毎に、当該件数表示分類に属する前記制御関連情報の件数、をカウントし、
前記件数一覧表示制御部は、
前記カウント部がカウントした前記制御関連情報の件数を、１つ以上の前記コントローラに関する情報、および、前記件数表示分類に関する情報と対応付けて表示した前記件数一覧画面を表示させる
ことを特徴とする請求項１から請求項６のうちのいずれか１項記載の表示制御装置。
【請求項８】
施設内に設置された１つ以上の機器と、当該１つ以上の機器を監視または制御する１つ以上のコントローラを備える施設監視システムにおいて、当該１つ以上のコントローラが当該１つ以上の機器を監視または制御するための制御関連情報を表示する表示制御方法であって、
情報取得部が、前記制御関連情報を取得するステップと、
件数表示分類受付部が、前記１つ以上のコントローラが当該コントローラ内を制御する際の目的、または、前記１つ以上のコントローラが前記１つ以上の機器を監視または制御する際の目的、に応じて分類分けされた複数の前記制御関連情報の分類のうち、属する前記制御関連情報の件数を表示させる対象とする１つ以上の件数表示分類、を受け付けるステップと、
カウント部が、前記情報取得部が取得した前記制御関連情報に基づき、前記件数表示分類受付部が受け付けた１つ以上の前記件数表示分類毎に、当該件数表示分類に属する前記制御関連情報の件数をカウントするステップと、
件数一覧表示制御部が、前記件数表示分類毎に前記カウント部がカウントした前記制御関連情報の件数を、当該件数表示分類に関する情報と対応付けて表示した件数一覧画面、を表示させるステップ
を備えた表示制御方法。
【発明の詳細な説明】
【技術分野】
【０００１】
この発明は、施設内に設置された１つ以上の機器を監視または制御する１つ以上のコントローラを備える施設監視システムにおいて、当該１つ以上のコントローラが１つ以上の機器を監視または制御するための情報を表示させる表示制御装置および表示制御方法に関するものである。
【背景技術】
【０００２】
従来、エンジニアリング装置等が、１つ以上のコントローラを介して、施設内に設置された１つ以上の機器の監視または制御を行う施設監視システムの技術が知られている（例えば、特許文献１参照）。
従来の施設監視システムでは、管理者等は、エンジニアリング装置等から、コントローラが機器の監視または制御等を行うための情報（以下「制御関連情報」という。）を、当該監視または制御等の目的に応じた画面で表示させて当該目的に応じた制御関連情報の内容を確認し、当該制御関連情報の設定変更等を行って、機器の監視または制御等を行うための制御プログラムの作成等の作業を実施する。
【先行技術文献】
【特許文献】
【０００３】
【特許文献１】特開２０１６−１３５８号公報
【発明の概要】
【発明が解決しようとする課題】
【０００４】
管理者等が施設監視システム内の機器の監視または制御等を行うための制御プログラムの作成等の作業を実施するにあたっては、当該機器の監視または制御等の目的に応じた制御関連情報がどれぐらい存在するかという情報が、当該作業を行う一助となることがある。しかし、特許文献１に開示されているような技術に代表される従来の施設監視システムの技術では、機器の監視または制御等の目的毎に、制御関連情報がどれぐらい存在するかという情報を、管理者等が一見して把握可能な形態で提供できるようにはなっていないという課題があった。
【０００５】
この発明は、上記のような課題を解決するためになされたもので、施設内に設置された１つ以上の機器を監視または制御する１つ以上のコントローラを備える施設監視システムにおいて制御関連情報を表示させる表示制御装置であって、機器の監視または制御等の目的に応じた制御関連情報がどれぐらい存在するかという情報を、管理者等が一見して把握可能な形態で提供することができる表示制御装置を提供することを目的とする。
【課題を解決するための手段】
【０００６】
この発明に係る表示制御装置は、施設内に設置された１つ以上の機器と、当該１つ以上の機器を監視または制御する１つ以上のコントローラを備える施設監視システムにおいて、当該１つ以上のコントローラが当該１つ以上の機器を監視または制御するための制御関連情報を表示する表示制御装置であって、制御関連情報を取得する情報取得部と、１つ以上のコントローラが当該コントローラ内を制御する際の目的、または、１つ以上のコントローラが１つ以上の機器を監視または制御する際の目的、に応じて分類分けされた複数の制御関連情報の分類のうち、属する制御関連情報の件数を表示させる対象とする１つ以上の件数表示分類、を受け付ける件数表示分類受付部と、情報取得部が取得した制御関連情報に基づき、件数表示分類受付部が受け付けた１つ以上の記件数表示分類毎に、当該件数表示分類に属する制御関連情報の件数をカウントするカウント部と、件数表示分類毎にカウント部がカウントした制御関連情報の件数を、当該件数表示分類に関する情報と対応付けて表示した件数一覧画面、を表示させる件数一覧表示制御部を備えたものである。
【発明の効果】
【０００７】
この発明によれば、施設内に設置された１つ以上の機器を監視または制御する１つ以上のコントローラを備える施設監視システムにおいて、機器の監視または制御等の目的に応じた制御関連情報がどれぐらい存在するかという情報を、管理者等が一見して把握可能な形態で提供することができる。
【図面の簡単な説明】
【０００８】
【図１】実施の形態１に係る表示制御装置を備えた施設監視システムの構成例を示す図である。
【図２】実施の形態１に係る表示制御装置の構成例を示す図である。
【図３】実施の形態１において、分類表示制御部が分類情報を表示させた、表示装置の画面の一例を説明するための図である。
【図４】実施の形態１において、件数一覧表示制御部が表示させた件数一覧画面の一例のイメージを説明するための図である。
【図５】実施の形態１において、件数一覧画面が表示されている状態から、情報表示指示受付部が制御関連情報表示指示を受け付け、制御関連情報表示制御部が、制御関連情報表示指示に基づく制御関連情報表示画面を表示させるまでの流れのイメージを説明するための図である。
【図６】実施の形態１において、件数一覧画面が表示されている状態から、対応表示指示受付部が対応表示指示を受け付け、件数一覧表示制御部が対応表示指示に基づく件数一覧画面を表示させるまでの流れのイメージを説明するための図である。
【図７】実施の形態１に係る表示制御装置の動作を説明するためのフローチャートである。
【図８】実施の形態１において、件数一覧表示制御部が、件数表示分類のルートに関する情報をあわせた表示させるようにした件数一覧画面のイメージの一例を示す図である。
【図９】実施の形態１において、件数一覧表示制御部が、件数表示分類の制御関連情報表示画面が開かれた時刻、および、件数表示分類の制御関連情報表示画面の編集が開始された時刻を表示させるようにした件数一覧画面のイメージの一例を示す図である。
【図１０】実施の形態１において、件数一覧表示制御部が、件数一覧画面にて、件数表示分類に属する制御関連情報の件数の表示態様を変更した場合の、変更前の件数一覧画面、および、変更後の件数一覧画面のイメージの一例を示す図である。
【発明を実施するための形態】
【０００９】
以下、この発明の実施の形態について図面を参照しながら詳細に説明する。
実施の形態１．
図１は、実施の形態１に係る表示制御装置１を備えた施設監視システム１０００の構成例を示す図である。
施設監視システム１０００は、エンジニアリング装置１０、監視装置２０、コントローラ３０、および、機器４０を備える。エンジニアリング装置１０、監視装置２０、コントローラ３０、および、機器４０は、ネットワークを介して接続される。
実施の形態１において、表示制御装置１は、エンジニアリング装置１０に搭載される。
なお、図１では、施設監視システム１０００において、コントローラ３０は３つ備えられるものとしているが、これは一例に過ぎない。施設監視システム１０００において、コントローラ３０は、１つ以上備えられ得る。また、図１では、施設監視システム１０００において、各コントローラ３０は、２つの機器４０に接続されるものとしているが、これは一例に過ぎない。各コントローラ３０は、１つ以上の機器４０に接続され得る。
以下の説明において、１つ以上のコントローラ３０を単に「コントローラ３０」ともいい、１つ以上の機器４０を単に「機器４０」ともいう。
【００１０】
エンジニアリング装置１０は、制御関連情報の設定変更等、当該制御関連情報に関する処理を行い、施設監視システム１０００を構築する。具体的には、例えば、管理者等が、エンジニアリング装置１０を操作し、当該エンジニアリング装置１０から、表示装置（図１では図示省略）に、制御関連情報が表示された画面（以下、「制御関連情報表示画面」という。）を表示させ、表示させた制御関連情報表示画面から、上述したような、制御関連情報に関する処理を行う。実施の形態１において、制御関連情報とは、コントローラ３０が機器４０の監視または制御等を行うための情報である。なお、制御関連情報には、当該制御関連情報が、どのコントローラ３０にとっての、機器４０を監視または制御するための情報であるかが特定できる情報が付与されている。
また、例えば、管理者等は、エンジニアリング装置１０を操作し、当該エンジニアリング装置１０から、表示装置に、制御関連情報の件数に関する情報を表示させることができる。管理者等は、例えば、表示させた制御関連情報の件数を確認しながら、施設監視システム１０００を構築するための、制御関連情報に関する処理等を行う。
エンジニアリング装置１０は、上述したような制御関連情報表示画面を、予め設定された分類毎に、表示させることができる。また、エンジニアリング装置１０は、予め設定された分類毎に、当該分類に属する制御関連情報の件数に関する情報を表示させることができる。
【００１１】
実施の形態１において、制御関連情報は、予め、管理者等によって、コントローラ３０が当該コントローラ内を制御する際の目的、または、コントローラ３０が機器４０を監視または制御する際の目的、に応じて、分類分けされている。実施の形態１において、コントローラ３０が当該コントローラ３０内を制御する、とは、コントローラ３０が内部的に保持している情報を用いて、当該コントローラ３０自身が動作するための各種制御を行うことをいう。具体的には、例えば、コントローラ３０は、内部的に保持している論理的な情報と物理的な情報との受け渡しの制御を行っている。また、例えば、コントローラ３０は、他のコントローラ３０と二重化される場合、内部的に保持する情報を用いて、自身が運用系のコントローラ３０または待機系のコントローラ３０としての動作するための制御を行う。このように、コントローラ３０は、当該コントローラ３０自身が内部的に保持している情報を用いて、当該コントローラ３０自身が動作するための様々な制御を行う。これらの様々な制御に用いられる、コントローラ３０自身が内部的に保持している情報が、エンジニアリング装置１０において、施設監視システム１０００を構築するための制御関連情報として用いられる。
表示装置への、制御関連情報表示画面の表示、または、制御関連情報の件数に関する情報の表示は、エンジニアリング装置１０に備えられた表示制御装置１が行う。表示制御装置１の詳細については、後述する。
【００１２】
監視装置２０は、コントローラ３０を介して機器４０に関する情報を取得し、取得した情報に基づき、機器４０の監視または制御を行う。具体的には、例えば、管理者等が、監視装置２０を操作し、当該監視装置２０から、表示装置に、機器４０に関する情報が表示された画面を表示させ、表示させた画面を確認等することで、機器４０の監視または制御を行う。機器４０に関する情報は、当該機器４０の発停状態に関する情報、当該機器４０の設定情報、または、当該機器４０にて計測された計測値等、施設監視システム１０００において機器４０の監視または制御を行うために必要な情報を広く含む。なお、実施の形態１において、機器４０に関する情報は、制御関連情報に含まれる。
【００１３】
コントローラ３０は、機器４０から当該機器４０に関する情報を収集し、エンジニアリング装置１０または監視装置２０に送信する。
機器４０は、例えば、センサ、温度計、モータ、または、電力計である。
【００１４】
図２は、実施の形態１に係る表示制御装置１の構成例を示す図である。表示制御装置１の動作は、ソフトウェアに基づくＣＰＵを用いたプログラム処理によって実行される。
表示制御装置１は、情報取得部１１、表示制御部１２、受付部１３、および、カウント部１４を備える。
表示制御部１２は、分類表示制御部１２１、制御関連情報表示制御部１２２、および、件数一覧表示制御部１２３を備える。
受付部１３は、詳細表示分類受付部１３１、件数表示分類受付部１３２、情報表示指示受付部１３３、および、対応表示指示受付部１３４を備える。
【００１５】
情報取得部１１は、記憶部（図示省略）から、制御関連情報を取得する。
実施の形態１において、制御関連情報は、記憶部に記憶されている。例えば、制御関連情報は、管理者等によって、予め記憶部に記憶される。より具体的には、管理者等は、予め、制御関連情報を上述の目的に応じて分類分けすると、分類毎に当該分類に属する制御関連情報が対応付けられた分類結果情報を、記憶部に記憶させておく。分類結果情報において、分類は、階層構造で定義される。また、例えば、制御関連情報は、制御関連情報収集部（図示省略）によって機器４０から収集され、記憶部に記憶される。記憶部および制御関連情報収集部は、表示制御装置１に備えられるものとしてもよいし、表示制御装置１の外部に備えられるものであってもよい。但し、少なくとも記憶部は、表示制御装置１が参照可能な場所に備えられるものとする。
なお、情報取得部１１は、受付部１３が受け付けた指示情報に基づき、制御関連情報を取得する。
情報取得部１１は、取得した制御関連情報を、表示制御部１２に出力する。
【００１６】
表示制御部１２は、表示装置５０に、各種情報を表示する。なお、表示装置５０は、エンジニアリング装置１０に備えられる表示装置を想定している。
表示制御部１２の分類表示制御部１２１は、表示装置５０の画面において、当該画面のある領域（以下「第１表示領域」という。）に、制御関連情報の分類を示す分類情報を表示させる。
分類表示制御部１２１は、記憶部を参照し、分類結果情報に基づいて、分類情報を表示させる。
【００１７】
図３は、実施の形態１において、分類表示制御部１２１が分類情報を表示させた、表示装置５０の画面の一例を説明するための図である。
分類表示制御部１２１は、第１表示領域３０１に、分類情報を表示させる（図３の３０１１参照）。このとき、分類表示制御部１２１は、分類情報を、階層構造で表示させる。図３では、分類表示制御部１２１は、コントローラ３０毎に、分類情報を、階層構造で表示させるようにしている。ここでは、図３に示すように、第１表示領域３０１において分類情報が階層構造で表示された画面を、「分類表示画面」というものとする。
例えば、図３では、分類表示制御部１２１は、表示させる分類情報を、分類の名称としている。なお、これは一例に過ぎず、分類表示制御部１２１は、制御関連情報の分類を特定できる情報を、分類情報として、表示するようになっていればよい。
例えば、分類「Ｉ／Ｏオブジェクト」には、機器４０のインプットデータまたはアウトプットデータ、言い換えれば、機器４０における計測値が、分類分けされている。また、例えば、分類「ＩＯＭ管理」には、コントローラ３０が監視または制御の対象としている機器４０を示す情報が分類分けされている。上述したような、インプットデータ、アウトプットデータ、または、機器４０を示す情報等を、実施の形態１では、まとめて、制御関連情報としている。
【００１８】
分類表示画面は、管理者等の表示指示に基づいて表示される。具体的には、例えば、管理者等は、マウスまたはキーボード等の入力装置（図示省略）を操作して、表示装置５０に、分類表示画面の呼出指示の入力画面を表示させる。管理者等は、入力装置を操作して、表示させた入力画面から、分類表示画面呼出指示を入力する。受付部１３は、当該分類表示画面呼出指示を受け付け、当該分類表示画面呼出指示を受け付けた旨の情報を、表示制御部１２に出力する。表示制御部１２は、表示装置５０の画面を、上記入力画面から分類表示画面を表示させた画面に切り替える。
【００１９】
分類表示制御部１２１が分類表示画面を表示させると、管理者等は、入力装置を操作して、分類表示画面で表示されている分類情報に基づいて、当該分類表示画面で表示されている、制御関連情報の分類のうち、属する制御関連情報を表示させる対象とする分類（以下「詳細表示分類」という。）を選択する指示を入力する。例えば、図３を例に挙げると、管理者等は、入力装置を操作して、コントローラＡのＩ／Ｏオブジェクトを選択する指示を入力する。具体的には、管理者等は、分類表示画面においてコントローラＡの下層に表示されている「Ｉ／Ｏオブジェクト」をクリック等することで、コントローラＡのＩ／Ｏオブジェクトを詳細表示分類として選択する指示を入力する。なお、管理者等は、複数の詳細表示分類を選択する指示を連続して入力することもできる。
管理者等が詳細表示分類を選択すると、受付部１３の詳細表示分類受付部１３１が、当該詳細表示分類を受け付け、受け付けた詳細表示分類に関する情報（以下「詳細表示分類情報」という。）を、情報取得部１１および表示制御部１２に出力する。詳細表示分類情報には、受け付けた詳細表示分類を特定する情報が含まれる。図３に示すように、分類表示画面において、分類情報が、コントローラ３０毎に表示されている場合、詳細表示分類情報には、詳細表示分類に対応するコントローラ３０の情報も含まれる。
【００２０】
表示制御部１２の制御関連情報表示制御部１２２は、情報取得部１１が取得した前記制御関連情報に基づき、詳細表示分類に属する制御関連情報を表示した制御関連情報表示画面を、表示装置５０のある領域（以下「第２表示領域」という。）に表示させる。図３に示すように、第１表示領域３０１と第２表示領域３０２とは、同じ画面上に存在する。制御関連情報表示制御部１２２は、分類表示画面が表示されている画面と同じ画面上に、制御関連情報表示画面を表示させる。
具体的には、情報取得部１１が、記憶部に記憶されている分類結果情報を参照して、詳細表示分類受付部１３１から出力された詳細表示分類情報に基づいて特定される詳細表示分類、に属する制御関連情報を取得し、取得した制御関連情報を制御関連情報表示制御部１２２に出力する。制御関連情報表示制御部１２２は、情報取得部１１が取得した制御関連情報を表示した制御関連情報表示画面を、第２表示領域３０２に表示させる。
【００２１】
詳細表示分類受付部１３１が複数の詳細表示分類を受け付けた場合、情報取得部１１は、当該複数の詳細表示分類に属する制御関連情報を取得し、制御関連情報表示制御部１２２は、当該複数の詳細表示分類毎に、当該詳細表示分類に対応する制御関連情報を表示した制御関連情報画面を、第２表示領域３０２に表示させる。
例えば、図３では、詳細表示分類受付部１３１が、少なくとも、コントローラＡのＩ／Ｏオブジェクト、コントローラＡのＩＯＭ管理、コントローラＡのＮＮＥオブジェクト、および、コントローラＢのＩ／Ｏオブジェクトの、４つの詳細表示分類を受け付けたものとして、制御関連情報表示制御部１２２が表示させる制御関連情報表示画面の一例を示している（図３の３０２１参照）。
【００２２】
複数の詳細表示分類毎に、当該詳細表示分類に属する制御関連情報を表示した制御関連情報表示画面を表示させる場合、制御関連情報表示制御部１２２は、図３に示すように、複数の制御関連情報表示画面をタブ化して表示させることができる。
なお、これは一例に過ぎず、制御関連情報表示制御部１２２は、例えば、複数の制御関連情報表示画面を、それぞれ、第２表示領域３０２に表示させるようにしてもよい。
制御関連情報表示制御部１２２が、制御関連情報表示画面を表示させると、管理者等は、表示された制御関連情報表示画面から、制御関連情報の確認、設定、または、変更等を行う。
【００２３】
表示制御部１２の件数一覧表示制御部１２３は、カウント部１４がカウントした制御関連情報の件数を表示した画面（以下「件数一覧画面」という。）を表示させる。件数一覧表示制御部１２３の詳細は、後段でカウント部１４の詳細を説明する際に、あわせて説明する。
【００２４】
受付部１３は、各種情報を受け付ける。
受付部１３の詳細表示分類受付部１３１は、上述の、１つ以上の詳細表示分類を受け付ける。
詳細表示分類受付部１３１は、受け付けた詳細表示分類の情報を、情報取得部１１および表示制御部１２に出力する。
【００２５】
受付部１３の件数表示分類受付部１３２は、制御関連情報表示制御部１２２が制御関連情報表示画面を表示させると（図３参照）、当該制御関連情報表示制御部１２２が当該制御関連情報表示画面を表示させた詳細表示分類のうちから選択された、属する制御関連情報の件数を表示させる対象とする、１つ以上の詳細表示分類（以下「件数表示分類」という。）を受け付ける。
具体的には、管理者等が、入力装置を操作して、件数表示分類を入力する。管理者等は、例えば、件数表示分類としたい詳細表示分類、言い換えれば、属する制御関連情報の件数を表示させたい詳細表示分類、に対応する制御関連情報画面のタブをダブルクリックすることで、件数表示分類を入力する。管理者等によってダブルクリックされた制御関連情報画面に対応する詳細表示分類が、件数表示分類となる。また、例えば、管理者等は、件数表示分類入力画面を表示させ、当該件数表示分類入力画面から、件数表示分類に関する情報を入力するようにしてもよい。また、例えば、管理者等は、分類表示画面（図３参照）で表示されている分類情報をダブルクリックすることで、件数表示分類を入力するようにしてもよい。
【００２６】
具体例を挙げて説明すると、例えば、今、図３に示すように制御関連情報画面が表示されていたとする。この状態から、管理者等は、入力装置を操作して、「（１０００２４）コントローラＡ  Ｉ／Ｏオブジェクト」タブをダブルクリックする。そうすると、件数表示分類受付部１３２は、コントローラＡのＩ／Ｏオブジェクトを、件数表示分類として受け付ける。
なお、上述の具体例では、管理者等は、件数表示分類を１つ入力するものとし、件数表示分類受付部１３２は、当該１つの件数表示分類を受け付けるものとしたが、これは一例に過ぎない。管理者等は、複数の件数表示分類を入力することもできる。この場合、件数表示分類受付部１３２は、入力された複数の件数表示分類を受け付ける。
件数表示分類受付部１３２は、受け付けた件数表示分類に関する情報（以下「件数表示分類情報」という。）を、情報取得部１１、カウント部１４、および、表示制御部１２に出力する。
【００２７】
受付部１３の情報表示指示受付部１３３および受付部１３の対応表示指示受付部１３４の詳細については後述するものとし、次に、カウント部１４および件数一覧表示制御部１２３について説明する。
カウント部１４は、情報取得部１１が取得した制御関連情報に基づき、件数表示分類受付部１３２が受け付けた件数表示分類毎に、当該件数表示分類に対応する制御関連情報の件数をカウントする。
【００２８】
具体的には、情報取得部１１が、記憶部に記憶されている分類結果情報を参照して、件数表示分類受付部１３２から出力された件数表示分類情報に基づいて特定される件数表示分類、に属する制御関連情報を取得し、取得した制御関連情報をカウント部１４に出力する。なお、情報取得部１１は、制御関連情報を、件数表示分類と対応付けて、カウント部１４に出力する。カウント部１４は、件数表示分類毎に、当該件数表示分類に属する制御関連情報の件数をカウントする。既に情報取得部１１が、件数表示分類に属する制御関連情報を取得済みである場合は、情報取得部１１は、記憶部に取得した制御関連情報を記憶しておき、カウント部１４は、記憶部に記憶されている制御関連情報に基づき、件数表示分類に属する制御関連情報をカウントすればよい。
例えば、今、図３に示すような制御関連情報画面が表示された状態から、件数表示分類受付部１３２が、コントローラＡのＩ／Ｏオブジェクトを件数表示分類として受け付けたとする。この場合、カウント部１４は、コントローラＡのＩ／Ｏオブジェクトに属する制御関連情報の件数をカウントすることになる。カウント部１４は、情報取得部１１が、制御関連情報画面が表示される際に取得し記憶させていた、コントローラＡのＩ／Ｏオブジェクトに属する制御関連情報、または、情報取得部１１が件数表示分類情報に基づいて取得した、コントローラＡのＩ／Ｏオブジェクトに属する制御関連情報の件数をカウントする。
コントローラＡのＩ／Ｏオブジェクトに属する制御関連情報の件数は、図３に示す制御関連情報画面にて表形式で表示されている制御関連情報の件数である。言い換えれば、カウント部１４がカウントする制御関連情報の件数は、図３に示す制御関連情報画面にて制御関連情報を表示している行数（図３の３０２２参照）である。
【００２９】
なお、件数表示分類受付部１３２が複数の件数表示分類を受け付けた場合、カウント部１４は、当該複数の件数表示分類毎に、当該複数の件数表示分類に属する制御関連情報の件数をカウントする。
カウント部１４は、カウントした制御関連情報の件数に関する情報を、件数表示分類に関する情報と対応付けて、表示制御部１２に出力する。
【００３０】
表示制御部１２の件数一覧表示制御部１２３は、カウント部１４から出力された、制御関連情報の件数に関する情報に基づき、件数表示分類毎にカウント部１４がカウントした制御関連情報の件数を、当該件数表示分類に関する情報と対応付けて表示した件数一覧画面、を表示させる。
図４は、実施の形態１において、件数一覧表示制御部１２３が表示させた件数一覧画面の一例のイメージを説明するための図である。
図４では、一例として、件数表示分類を、コントローラＡ〜Ｄそれぞれの「Ｉ／Ｏオブジェクト」、「ＩＯＭ管理」、および、「ＮＮＥオブジェクト」とした場合の、件数一覧画面を示している。
管理者等は、コントローラ３０単位で、件数表示分類を入力することができる。この場合、件数表示分類受付部１３２は、コントローラ３０単位で件数表示分類を受け付け、カウント部１４は、コントローラ３０単位で、件数表示分類毎に、件数表示分類に属する制御関連情報の件数をカウントする。そして、件数一覧表示制御部１２３は、カウント部１４がカウントした制御関連情報の件数（図４の４０１参照）を、コントローラ３０に関する情報、および、件数表示分類に関する情報と対応付けて表示した件数一覧画面を表示させる（図４参照）。
【００３１】
件数一覧表示制御部１２３は、図４に示すような件数一覧画面を、制御関連情報表示画面上にポップアップ表示させるようにしてもよいし、制御関連情報表示画面が表示された画面から、件数一覧画面が表示された画面へと、画面を切り替えて、件数一覧画面を表示させるようにしてもよい。
【００３２】
このとき、件数一覧表示制御部１２３は、図４に示すように、件数一覧画面において、カウント部１４がカウントした制御関連情報の件数とともに、件数一覧画面にて制御関連情報の件数が表示されている件数表示分類に対応する制御関連情報表示画面（図３参照）の表示状態を示す情報（図４の４０２参照）、および、当該件数表示分類に対応する制御関連情報表示画面と関連する、他の制御関連情報表示画面を示す情報（図４の４０３参照）を、件数表示分類に関する情報と対応付けて表示させるようにすることができる。
【００３３】
例えば、図４の例でいうと、コントローラＡのＩ／Ｏオブジェクトに対応する制御関連情報表示画面の表示状態は、「クローズ」であることを示している。実施の形態１において、制御関連情報表示画面の表示状態が「クローズ」であるとは、当該制御情報表示画面が開かれていない状態であることを示す。
また、コントローラＢのＩ／Ｏオブジェクトに対応する制御関連情報表示画面の表示状態は、「編集中」であることを示している。実施の形態１において、制御関連情報表示画面の表示状態が「編集中」であるとは、当該制御情報表示画面が開かれ、管理者等によって、当該制御情報表示画面で表示されている制御関連情報が編集されている状態であることを示す。なお、管理者等は、制御関連情報表示画面上で、制御関連情報の編集を行うことができる。管理者等は、制御関連情報表示画面上で行った編集を反映したい場合は、例えば、制御関連情報表示画面上に表示されている登録ボタン等を入力装置でクリック等する。受付部１３は、編集内容を受け付け、例えば、制御部（図示省略）が、エンジニアリング装置１０に当該編集内容を出力する。エンジニアリング装置１０は、例えば、記憶部に記憶されている制御関連情報に、編集内容を反映する。
【００３４】
また、コントローラＣのＩ／Ｏオブジェクトに対応する制御関連情報表示画面の表示状態は、「オープン」であることを示している。実施の形態１において、制御関連情報表示画面の表示状態が「オープン」であるとは、当該制御情報表示画面が開かれている状態であることを示す。
また、コントローラＤのＩ／Ｏオブジェクトに対応する制御関連情報表示画面の表示状態は、「非表示」であることを示している。実施の形態１において、制御関連情報表示画面の表示状態が「非表示」であるとは、当該制御情報表示画面が開かれてはいるが、管理者等の指示に基づき、制御関連情報表示制御部１２２が、当該制御関連情報表示画面を非表示とする制御を行っている状態であることを示す。
【００３５】
件数一覧表示制御部１２３は、制御関連情報表示画面の表示状態に関する情報を、制御関連情報表示制御部１２２から取得するようにすればよい。また、予め、管理者等によって分類の対応関係が定義されており、件数一覧表示制御部１２３は、当該分類の対応関係から、件数表示分類に対応する制御関連情報表示画面と関連する、他の制御関連情報表示画面を特定するようにすればよい。
なお、図４では、件数一覧表示制御部１２３は、件数一覧画面において、件数表示分類に対応する制御関連情報表示画面の表示状態を示す情報、および、他の制御関連情報表示画面を示す情報を、制御関連情報の件数とともに表示させるようにしているが、これは一例に過ぎない。件数一覧表示制御部１２３は、件数一覧画面において、件数表示分類に対応する制御関連情報表示画面の表示状態を示す情報、または、他の制御関連情報表示画面を示す情報のいずれかを、制御関連情報の件数とともに表示させるようにしてもよい。
【００３６】
図２に示す受付部１３の説明に戻る。
受付部１３の情報表示指示受付部１３３は、件数一覧表示制御部１２３が表示させた件数一覧画面で表示されている件数表示分類に対応する制御関連情報表示画面を表示させる指示（以下、「情報表示指示」という。）を受け付ける。
情報表示指示受付部１３３は、受け付けた情報表示指示を、情報取得部１１および表示制御部１２に出力する。情報表示指示には、件数表示分類に関する情報が付与されている。
表示制御部１２の制御関連情報表示制御部１２２は、情報表示指示受付部１３３から情報表示指示が出力されると、当該情報表示指示に基づき、件数一覧画面で表示されている件数表示分類に対応する制御関連情報表示画面を表示させる。
制御関連情報表示制御部１２２は、例えば、件数一覧画面が表示される前に、当該件数表示分類に対応する制御関連情報表示画面を表示させていた場合は、当該既に表示されている制御関連情報表示画面が表示された画面に切り替える。制御関連情報表示制御部１２２は、例えば、件数一覧画面が表示される前に、当該件数表示分類に対応する制御関連情報表示画面を表示させていない場合、情報取得部１１に当該件数表示分類の情報を出力し、情報取得部１１に当該件数表示分類に対応する制御関連情報を取得させて、制御関連情報表示画面を表示させるようにすればよい。
【００３７】
図５は、実施の形態１において、件数一覧画面が表示されている状態から、情報表示指示受付部１３３が情報表示指示を受け付け、制御関連情報表示制御部１２２が、制御関連情報表示指示に基づく制御関連情報表示画面を表示させるまでの流れのイメージを説明するための図である。
図５は、情報表示指示受付部１３３が、図４に示す件数一覧画面が表示されている状態から情報表示指示を受け付けたものとしている。
管理者等は、入力装置を操作して、情報表示指示を入力する。具体的には、例えば、件数一覧画面において、件数表示分類に対応する制御関連情報画面の表示状態を示す情報に対応付けて、情報表示指示入力部５０１が表示されている。情報表示指示入力部５０１は、例えば、件数一覧表示制御部１２３が件数一覧画面を表示させる際に表示させるようにしてもよいし、管理者等が、入力部表示指示を入力し、表示制御部１２が当該入力部表示指示の入力を受けて表示させるようにしてもよい。
情報表示指示受付部１３３は、管理者等によって入力された、情報表示指示を受け付ける。
図５では、一例として、情報表示指示受付部１３３は、コントローラＤの「Ｉ／Ｏオブジェクト」に対応する制御関連情報表示画面を表示させる情報表示指示を受け付けたものとしている。
【００３８】
情報表示指示受付部１３３が情報表示指示を受け付けると、制御関連情報表示制御部１２２は、当該情報表示指示に基づく制御関連情報表示画面を表示させる。
図５の例でいうと、制御関連情報表示制御部１２２は、コントローラＤの「Ｉ／Ｏオブジェクト」に対応する制御関連情報表示画面を表示させ、表示装置の画面は、件数一覧画面から、コントローラＤの「Ｉ／Ｏオブジェクト」に対応する制御関連情報表示画面に切り替えられる。
【００３９】
受付部１３の対応表示指示受付部１３４は、件数一覧表示制御部１２３が表示させた件数一覧画面において、件数表示分類に対応する制御関連情報表示画面の表示状態を示す情報、または、他の制御関連情報表示画面を示す情報を表示させるか否かを指定する指示（以下「対応表示指示」という。）を受け付ける。
例えば、図４に示すような件数一覧画面から、管理者等は、表示したい情報の絞り込みを行うことができる。具体的には、管理者等は、件数一覧画面において、制御関連情報の件数を示す情報とともに、件数表示分類に対応する制御関連情報表示画面の表示状態を示す情報、または、他の制御関連情報表示画面を示す情報を表示させるか否かを指定することができる。管理者等は、例えば、件数一覧画面に表示された表示情報指定部から、上記対応表示指示を入力する。対応表示指示受付部１３４は、管理者等が入力した対応表示指示を受け付ける。
対応表示指示受付部１３４は、受け付けた対応表示指示に関する情報を、件数一覧表示制御部１２３に出力する。
件数一覧表示制御部１２３は、対応表示指示受付部１３４が受け付けた対応表示指示に基づき、件数一覧画面において、件数表示分類に対応する制御関連情報表示画面の状態を示す情報、または、他の制御関連情報表示画面を示す情報を表示させるか否かを制御する。
【００４０】
図６は、実施の形態１において、件数一覧画面が表示されている状態から、対応表示指示受付部１３４が対応表示指示を受け付け、件数一覧表示制御部１２３が対応表示指示に基づく件数一覧画面を表示させるまでの流れのイメージを説明するための図である。
図６は、対応表示指示受付部１３４が、図４に示す件数一覧画面が表示されている状態から、対応表示指示を受け付けたものとしている。
管理者等は、例えば、入力装置を操作して、対応表示指示入力画面６０２を呼び出すための対応表示指示入力画面呼出指示を入力する。受付部１３は対応表示指示入力画面呼出指示を受け付け、当該対応表示指示入力画面呼出指示を受け付けた旨の情報を、件数一覧表示制御部１２３に出力する。件数一覧表示制御部１２３は、受付部１３から、対応表示指示入力画面呼出指示を受け付けた旨の情報が出力されると、表示装置５０に、件数一覧画面６０１とともに、対応表示指示入力画面６０２を表示させる。対応表示指示入力画面６０２には、例えば、制御関連情報の件数の表示を指定するための件数表示指定部６０２１、件数表示分類に対応する制御関連情報表示画面の表示状態を示す情報の表示を指定するための状態表示指定部６０２２、および、他の制御関連情報表示画面を示す情報の表示を指定するための関連画面表示指定部６０２３が表示される。なお、件数表示指定部６０２１は常にチェックされた状態となっている。
【００４１】
管理者等は、入力装置を操作して、状態表示指定部６０２２または関連画面表示指定部６０２３をクリック等することで、件数表示分類に対応する制御関連情報表示画面の表示状態を示す情報の表示の指定、または、他の制御関連情報表示画面を示す情報の表示の指定を行う。
図６では、状態表示指定部６０２２および関連画面表示指定部６０２３は、いずれもチェックされていない状態となっており、管理者等は、件数表示分類に対応する制御関連情報表示画面の表示状態を示す情報も、他の制御関連情報表示画面を示す情報も、表示させないと指定したことを示している。この場合、対応表示指示受付部１３４は、件数一覧画面６０１において、件数表示分類の制御関連情報表示画面の表示状態を示す情報、および、他の制御関連情報表示画面を示す情報を表示させないことを指定する対応表示指示を受け付ける。
そうすると、件数一覧表示制御部１２３は、対応表示指示受付部１３４が受け付けた対応表示指示に基づき、件数一覧画面６０１において、件数表示分類の制御関連情報表示画面の状態を示す情報、および、他の制御関連情報表示画面を示す情報を表示しないようにする。
【００４２】
実施の形態１に係る表示制御装置１の動作について説明する。
図７は、実施の形態１に係る表示制御装置１の動作を説明するためのフローチャートである。
表示制御部１２の分類表示制御部１２１は、表示装置５０の画面において、第１表示領域に、制御関連情報の分類を示す分類情報を階層構造で表示した分類表示画面を表示させる（ステップＳＴ７０１）。
【００４３】
ステップＳＴ７０１にて分類表示制御部１２１が分類表示画面を表示させると、受付部１３の詳細表示分類受付部１３１は、詳細表示分類を受け付けたか否かを判定する（ステップＳＴ７０２）。
ステップＳＴ７０２において、詳細表示分類受付部１３１が詳細表示分類を受け付けない場合（ステップＳＴ７０２の“ＮＯ”の場合）、表示制御装置１は、処理を終了する。
ステップＳＴ７０２において、詳細表示分類受付部１３１が詳細表示分類を受け付けた場合（ステップＳＴ７０２の“ＹＥＳ”の場合）、詳細表示分類受付部１３１は、受け付けた詳細表示分類に関する詳細表示分類情報を、情報取得部１１および表示制御部１２の制御関連情報表示制御部１２２に出力する。
【００４４】
情報取得部１１は、記憶部に記憶されている分類結果情報を参照して、ステップＳＴ７０２にて詳細表示分類受付部１３１から出力された詳細表示分類情報に基づいて特定される詳細表示分類、に属する制御関連情報を取得し、取得した制御関連情報を制御関連情報表示制御部１２２に出力する。制御関連情報表示制御部１２２は、情報取得部１１が取得した制御関連情報を表示した制御関連情報表示画面を、第２表示領域３０２に表示させる（ステップＳＴ７０３）。例えば、制御関連情報表示制御部１２２は、図３を用いて説明したような制御関連情報表示画面を表示させる。
【００４５】
受付部１３の件数表示分類受付部１３２は、ステップＳＴ７０３にて制御関連情報表示制御部１２２が制御関連情報表示画面を表示させた詳細表示分類のうちから選択された件数表示分類を受け付けたか否かを判定する（ステップＳＴ７０４）。
ステップＳＴ７０４において、件数表示分類受付部１３２が件数表示分類を受け付けない場合（ステップＳＴ７０４の“ＮＯ”の場合）、表示制御装置１は、処理を終了する。
【００４６】
ステップＳＴ７０４において、件数表示分類受付部１３２が件数表示分類を受け付けた場合（ステップＳＴ７０４の“ＹＥＳ”の場合）、件数表示分類受付部１３２は、受け付けた件数表示分類に関する情報を、情報取得部１１、カウント部１４、および、表示制御部１２に出力する。
【００４７】
情報取得部１１は、記憶部に記憶されている分類結果情報を参照して、ステップＳＴ７０４にて件数表示分類受付部１３２から出力された件数表示分類に関する情報に基づいて特定される件数表示分類、に属する制御関連情報を取得し、取得した制御関連情報をカウント部１４に出力する。カウント部１４は、件数表示分類毎に、当該件数表示分類に対応する制御関連情報の件数をカウントする（ステップＳＴ７０５）。
カウント部１４は、カウントした制御関連情報の件数に関する情報を、件数表示分類に関する情報と対応付けて、件数一覧表示制御部１２３に出力する。
【００４８】
件数一覧表示制御部１２３は、ステップＳＴ７０５にてカウント部１４から出力された、制御関連情報の件数に関する情報に基づき、件数表示分類毎にカウント部１４がカウントした制御関連情報の件数を、当該件数表示分類に関する情報と対応付けて表示した件数一覧画面、を表示させる（ステップＳＴ７０６）。例えば、件数一覧表示制御部１２３は、図４を用いて説明したような件数一覧画面を表示させる。
【００４９】
ステップＳＴ７０６にて件数一覧表示制御部１２３が件数一覧画面を表示させると、受付部１３の情報表示指示受付部１３３は、情報表示指示を受け付けたか否かを判定する（ステップＳＴ７０７）。
ステップＳＴ７０７において、情報表示指示受付部１３３が情報表示指示を受け付けた場合（ステップＳＴ７０７の“ＹＥＳ”の場合）、情報表示指示受付部１３３は、受け付けた情報表示指示を、制御関連情報表示制御部１２２に出力する。
【００５０】
制御関連情報表示制御部１２２は、ステップＳＴ７０７にて情報表示指示受付部１３３から情報表示指示が出力されると、当該情報表示指示に基づき、件数一覧画面で表示されている件数表示分類に対応する制御関連情報表示画面を表示させる（ステップＳＴ７０８）。例えば、制御関連情報表示制御部１２２は、図５を用いて説明したような制御関連情報表示画面を表示させる（図５の５０２参照）。
【００５１】
一方、ステップＳＴ７０７において、情報表示指示受付部１３３が情報表示指示を受け付けなかった場合（ステップＳＴ７０７の“ＮＯ”の場合）、受付部１３の対応表示指示受付部１３４は、対応表示指示を受け付けたか否かを判定する（ステップＳＴ７０９）。
ステップＳＴ７０９において、対応表示指示受付部１３４が対応表示指示を受け付けなかった場合（ステップＳＴ７０９の“ＮＯ”の場合）、表示制御装置１は、処理を終了する。
【００５２】
ステップＳＴ７０９において、対応表示指示受付部１３４が対応表示指示を受け付けた場合（ステップＳＴ７０９の“ＹＥＳ”の場合）、対応表示指示受付部１３４は、受け付けた対応表示指示に関する情報を、件数一覧表示制御部１２３に出力する。
【００５３】
件数一覧表示制御部１２３は、ステップＳＴ７０９にて対応表示指示受付部１３４が受け付けた対応表示指示に基づき、件数一覧画面において、件数表示分類に対応する制御関連情報表示画面の状態を示す情報、または、他の制御関連情報表示画面を示す情報を、表示させるか否かを制御する（ステップＳＴ７１０）。例えば、件数一覧表示制御部１２３は、図６を用いて説明したように、件数一覧画面の表示を制御する。
【００５４】
なお、以上の説明では、表示制御装置１は、ステップＳＴ７０７の判定の後、ステップＳＴ７０９の判定を行うものとしたが、これは一例にすぎない。例えば、表示制御装置１は、ステップＳＴ７０９の判定の後、ステップＳＴ７０７の判定を行うものとしてもよい。
【００５５】
このように、表示制御装置１は、件数表示分類毎に、当該件数表示分類に属する制御関連情報の件数をカウントし、件数一覧画面を表示するようにした。これにより、表示制御装置１は、機器の監視または制御等の目的に応じた制御関連情報がどれぐらい存在するかという情報を、管理者等が一見して把握可能な形態で提供することができる。
従来、例えば、複数のコントローラ３０に共通して対応付けられているある分類に対して、当該ある分類に属する制御関連情報の変更等を行いたい場合、管理者等は、当該ある分類に対応する複数の制御関連情報表示画面を逐一表示させ、当該制御関連情報表示画面で表示される制御関連情報があるか否かによって、変更等を行う必要がある制御関連情報を探さなければならなかった。そのため、管理者等は、変更等を行う制御関連情報を見つけ出すまでに時間を要し、作業効率が悪いという問題があった。
これに対し、実施の形態１に係る表示制御装置１は、上述のとおり、件数一覧画面を表示させることで、ある分類（件数表示対象分類）に属する制御関連情報が何件あるかの情報を、一見して把握可能な形態で、管理者等に提供することができる。その結果、管理者等は、例えば、変更等を行いたい制御関連情報が、複数の分類に属するように分類分けされている場合、実際に制御関連情報が存在している場所を素早く探し当てることができ、作業の効率化をはかることができる。
また、管理者等は、機器の監視または制御等の目的毎に、制御関連情報がどれぐらい存在するかを一見して把握することができるため、例えば、制御関連情報を用いて、施設監視システムがうまく動作するかの試験を行う場合に、当該試験に適したボリュームの制御関連情報を、容易に選別することができる。
【００５６】
また、表示制御装置１は、一覧表示画面を表示した後、当該一覧表示画面で表示されている分類（件数表示分類）の情報表示指示を受け付けると、当該件数表示分類に対応する制御関連情報表示画面を表示させるようにした。これにより、管理者等は、例えば、属する制御関連情報の件数を把握した上で、件数に応じて必要な制御関連情報表示画面を開き、制御関連情報の監視または設定等の作業を行うことができる。
【００５７】
また、表示制御装置１は、件数一覧画面において、制御関連情報の件数とともに、件数表示分類に対応する制御関連情報表示画面の表示状態を示す情報、または、件数表示分類の制御関連情報表示画面と関連する、他の制御関連情報表示画面を示す情報を、表示可能とした。これにより、管理者等は、例えば、複数の制御関連情報表示画面が開かれている状態で、所望の制御関連情報表示画面の表示状態を確認したい場合に、開かれている複数の制御関連情報表示画面から所望の制御関連情報表示画面を探さなくても、件数一覧画面を確認すれば、当該所望の制御関連情報表示画面の表示状態を把握することが可能となる。また、管理者等は、例えば、互いに関連する分類に分類分けされている制御関連情報がどれぐらい存在するかということを把握することが可能となる。
さらに、表示制御装置１は、件数一覧画面において、制御関連情報の件数とともに、件数表示分類に対応する制御関連情報表示画面の表示状態を示す情報、または、件数表示分類の制御関連情報表示画面と関連する、他の制御関連情報表示画面を示す情報を表示するか否かを制御可能とした。これにより、管理者等は、件数一覧画面によって制御関連情報の件数を確認する際、必要に応じて、当該制御関連情報の件数とあわせて表示させる情報の絞り込みを行うことができる。
【００５８】
なお、以上の実施の形態１において、件数一覧表示制御部１２３は、図４〜図６で示したような件数一覧画面を表示させるものとしたが、これに限らず、件数一覧表示制御部１２３は、例えば、件数一覧画面で表示されている件数表示分類について、当該件数表示分類のルートに関する情報を、あわせて表示するようにしてもよい。件数一覧表示制御部１２３は、件数表示分類のルートに関する情報を、記憶部で記憶されている、階層構造で定義された分類結果情報から特定すればよい。
図８は、実施の形態１において、件数一覧表示制御部１２３が、件数表示分類のルートに関する情報（図８の８０１参照）をあわせた表示させるようにした件数一覧画面のイメージの一例を示す図である。
【００５９】
また、件数一覧表示制御部１２３は、例えば、件数一覧画面にて、件数表示分類に対応する制御関連情報表示画面の表示状態を示す情報を表示させる場合、当該表示状態となった時刻の情報を、あわせて表示するようにしてもよい。具体的には、例えば、件数一覧表示制御部１２３は、件数表示分類に対応する制御関連情報表示画面が開かれた時刻をあわせて表示するようにしてもよい。また、例えば、件数表示分類に対応する制御関連情報表示画面の表示状態が「編集中」である場合、件数一覧表示制御部１２３は、編集が開始された時刻をあわせて表示するようにすることもできる。
図９は、実施の形態１において、件数一覧表示制御部１２３が、件数表示分類に対応する制御関連情報表示画面が開かれた時刻（図９の９０１参照）、および、件数表示分類に対応する制御関連情報表示画面の編集が開始された時刻（図９の９０２参照）を表示させるようにした件数一覧画面のイメージの一例を示す図である。
【００６０】
また、件数一覧表示制御部１２３は、件数一覧画面にて、件数表示分類に属する制御関連情報の件数の表示態様を、適宜変更することもできる。
図１０は、実施の形態１において、件数一覧表示制御部１２３が、件数一覧画面にて、件数表示分類に属する制御関連情報の件数の表示態様を変更した場合の、変更前の件数一覧画面、および、変更後の件数一覧画面のイメージの一例を示す図である。
図１０では、一例として、件数一覧表示制御部１２３が、図６で示したような件数一覧画面から、当該件数一覧画面の表示態様を変更した場合を示している。
図６では、件数一覧表示制御部１２３は、コントローラ３０単位に、当該コントローラ３０の情報を縦軸に表示し、当該コントローラ３０に対応する各件数表示分類の制御関連情報の件数を横軸に表示した表形式で、件数一覧画面を表示していた。件数一覧表示制御部１２３は、図１０に示すように、例えば、図６に示す件数一覧画面において縦軸に表示されていた情報と、横軸に表示されていた情報を入れ換えた件数一覧画面を表示することができる（図１０の１００１参照）。
なお、件数一覧表示制御部１２３は、件数一覧画面の表示態様の変更を、管理者等が入力した指示に基づいて行うようにすればよい。
【００６１】
以上の実施の形態１では、第１表示領域３０１と第２表示領域３０２は、同一画面上の領域とし、分類表示画面と制御関連情報表示画面とが同一画面上に表示されるものとしたが、これは一例に過ぎない。例えば、表示制御装置１は、分類表示画面が表示された状態で、詳細対象分類を受け付けると、分類表示画面が表示された状態から、制御関連情報表示画面が表示された状態へと、画面を切り替えるようにしてもよい。
また、表示制御装置１は、分類表示画面を表示することを必須としないようにしてもよい。表示制御装置１は、複数の制御関連情報の分類のうちの１つ以上の詳細対象分類を受け付けることができ、当該１つ以上の詳細対象分類を受け付けた場合に、当該１つ以上の詳細対象分類毎に、当該詳細対象分類に属する制御関連情報を表示した制御関連情報表示画面を表示させるようになっていればよい。
【００６２】
また、以上の実施の形態１では、表示制御装置１は、制御関連情報表示制御部１２２が、詳細対象分類に対応する制御関連情報表示画面を表示させた後、件数表示分類受付部１３２が、件数表示分類を受け付けることを前提としたが、これは一例に過ぎない。つまり、表示制御装置１において、件数表示分類受付部１３２が件数表示分類を受け付けるよりも前に、１つ以上の制御関連情報表示画面が表示されていることは必須ではない。
例えば、管理者等は、詳細表示分類を指定して、当該詳細表示分類に対応する制御関連情報表示画面を表示させることなく、件数一覧画面を表示させることができる。具体的には、管理者等は、詳細表示分類を指定することなく、件数表示分類を指定する指示を入力し、件数表示分類受付部１３２が当該件数表示分類を受け付ける。そして、件数一覧表示制御部１２３は、件数一覧画面を表示させる。
なお、管理者等は、指定した分類が、件数表示分類であることがわかる情報を付与して当該件数表示分類を指定するものとする。具体的には、例えば、表示制御部１２は、表示装置５０の画面上に、件数表示ボタンを表示させるようにし、管理者等は、当該件数表示ボタンを入力装置でクリック等した上で、件数表示分類を指定する指示を入力する。
【００６３】
また、以上の実施の形態１では、表示制御装置１は、情報表示指示受付部１３３を備え、件数一覧画面が表示された状態から、情報表示指示受付部１３３が情報表示指示を受け付けて、制御関連情報表示制御部１２２が当該情報表示指示に基づく制御関連情報表示画面を表示させる機能を有するものとしたが、当該機能を有することは必須としない。当該機能を有しない場合、表示制御装置１は、情報表示指示受付部１３３を備えないものであってもよい。
【００６４】
また、以上の実施の形態１では、件数一覧表示制御部１２３は、件数一覧画面において、制御関連情報の件数とともに、件数表示分類に対応する制御関連情報表示画面の表示状態を示す情報、または、件数表示分類の制御関連情報表示画面と関連する、他の制御関連情報表示画面を示す情報を表示する機能を有するものとしたが、当該機能を有することは必須としない。当該機能を有しない場合、表示制御装置１は、対応表示指示受付部１３４を備えないものであってもよい。
表示制御装置１において、件数一覧表示制御部１２３は、件数一覧画面において、少なくとも件数表示分類に属する制御関連情報の件数を表示するようになっていればよい。
【００６５】
また、以上の実施の形態１では、表示制御装置１は、エンジニアリング装置１０に備えられるものとしたが、これに限らず、表示制御装置１は、監視装置２０に備えられるようにしてもよい。なお、この場合、表示装置５０は、例えば、監視装置２０が備える表示装置である。
【００６６】
以上のように、実施の形態１によれば、表示制御装置１は、制御関連情報を取得する情報取得部１１と、コントローラ３０が当該コントローラ３０内を制御する際の目的、または、コントローラ３０が機器４０を監視または制御する際の目的、に応じて分類分けされた複数の制御関連情報の分類のうち、属する制御関連情報の件数を表示させる対象とする１つ以上の件数表示分類、を受け付ける件数表示分類受付部１３２と、情報取得部１１が取得した制御関連情報に基づき、件数表示分類受付部１３２が受け付けた１つ以上の件数表示分類毎に、当該件数表示分類に属する制御関連情報の件数をカウントするカウント部１４と、件数表示分類毎にカウント部１４がカウントした制御関連情報の件数を、当該件数表示分類に関する情報と対応付けて表示した件数一覧画面、を表示させる件数一覧表示制御部１２３を備えるように構成した。そのため、機器の監視または制御等の目的に応じた制御関連情報がどれぐらい存在するかという情報を、管理者等が一見して把握可能な形態で提供することができる。
【００６７】
なお、本願発明はその発明の範囲内において、実施の形態の任意の構成要素の変形、もしくは実施の形態の任意の構成要素の省略が可能である。
【符号の説明】
【００６８】
１  表示制御装置
１０  エンジニアリング装置
２０  監視装置
３０  コントローラ
４０  機器
５０  表示装置
１１  情報取得部
１２  表示制御部
１２１  分類表示制御部
１２２  制御関連情報表示制御部
１２３  件数一覧表示制御部
１３  受付部
１３１  詳細表示分類受付部
１３２  件数表示分類受付部
１３３  情報表示指示受付部
１３４  対応表示指示受付部
１４  カウント部
１０００  施設監視システム
【図１】
2020144638.tif 000003
【図２】
2020144638.tif 000004
【図３】
2020144638.tif 000005
【図４】
2020144638.tif 000006
【図５】
2020144638.tif 000007
【図６】
2020144638.tif 000008
【図７】
2020144638.tif 000009
【図８】
2020144638.tif 000010
【図９】
2020144638.tif 000011
【図１０】
2020144638.tif 000012